(57)【要約】【課題】ユーザの肌の状態を診断し、診断結果に対して適切なトリートメントの種類や時間などを選択することによって、ユーザに無駄のない効率的なトリートメントを施すことのできる電子トリートメント装置を提供する。【解決手段】レーザー、イオン導入およびＥＭＳの３つのトリートメント機能を一体に備えたプローブ４１に、静電容量方式の半導体センサ１０による肌診断センサ３を設けた。肌診断センサ３によりユーザの肌の状態を検出し、検出結果に基づいて肌の水分、油分、きめ、しわなどの各項目について診断を行う。この診断結果から最適なトリートメントの種類やトリートメント時間を設定する。【選択図】　　　図１３
2004141259.tif 000002
【特許請求の範囲】
【請求項１】
肌の状態を検出する静電容量方式の半導体センサと、
この半導体センサによって検出された容量値信号に基づいて肌の状態を診断する診断手段と、
前記診断の結果を出力する出力手段と
を具備することを特徴とする肌診断システム。
【請求項２】
前記診断手段は、前記肌の表面の水分および油分の量を診断することを特徴とする請求項１に記載の肌診断システム。
【請求項３】
前記診断手段は、前記肌の表面のきめの細かさを診断することを特徴とする請求項１に記載の肌診断システム。
【請求項４】
前記診断手段は、前記肌の表面のしわの量を診断することを特徴とする請求項１に記載の肌診断システム。
【請求項５】
生体へのイオンの導入による第１のトリートメントを行うイオン導入手段と、
生体へのパルス電流の供給による第２のトリートメントを行うパルス供給手段と、
肌の状態を検出する静電容量方式の半導体センサと、
この半導体センサによって検出された容量値信号に基づいて肌の状態を診断する診断手段と、
前記診断の結果に基づいて前記各トリートメントの実行内容を設定するトリートメント設定手段と
を具備することを特徴とする電子トリートメント装置。
【請求項６】
前記診断手段は、前記肌の表面の水分および油分の量を診断することを特徴とする請求項５に記載の電子トリートメント装置。
【請求項７】
前記診断手段は、前記肌の表面のきめの細かさを診断することを特徴とする請求項５に記載の電子トリートメント装置。
【請求項８】
前記診断手段は、前記肌の表面のしわの量を診断することを特徴とする請求項５に記載の電子トリートメント装置。
【請求項９】
トリートメント設定手段は、前記第１のトリートメントおよび前記第２のトリートメントの実行時間を設定することを特徴とする請求項５ないし８のいずれか１項に記載の電子トリートメント装置。
【発明の詳細な説明】
【０００１】
【発明の属する技術分野】
本発明は、肌の水分・油分量、しわ、きめなどの診断を行う肌診断システムと、肌の状態を改善するための電子的なトリートメントを行う電子トリートメント装置に関するものである。
【０００２】
【従来の技術】
従来、電子美容の方式には、レーザー方式、イオン導入方式、ＥＭＳ方式などが知られている。
【０００３】
レーザー方式は、レーザーの熱エネルギーがシミやクスミなどの色に濃い部分に吸収される原理を利用したものであり、レーザーの熱で細胞の新陳代謝を促進させて、シミやクスミなどの原因となる角質層などの老廃物を除去する方式である（たとえば、特許文献１参照）。
【０００４】
イオン導入方式は、化粧水や美容液に含まれている水溶性の有効成分を微弱な電流でイオン化し、肌に浸透させることで、化粧水や美容液の働きを高める方式である（たとえば、特許文献２参照）。
【０００５】
ＥＭＳ（Ｅｌｅｃｔｒｉｃａｌ　Ｍｕｓｃｌｅ　Ｓｔｉｍｕｌａｔｉｏｎ）方式は、パルス電流を生体に流して筋肉を電気的に刺激することによって筋肉を収縮させる方法であり、筋力アップ、シェイプアップ、筋肉の痩せ劣りによるしわの解消に効果がある（たとえば、特許文献３参照）。
【０００６】
【特許文献１】
特開２０００−３３４０５１号公報
【０００７】
【特許文献２】
特開２００１−２５９０４５号公報
【０００８】
【特許文献３】
特開２００２−２９１９１２号公報
【０００９】
このように目的・効果が異なる様々な種類の電子美容機器が登場してきたことで、ユーザは自身の肌の状態を把握して、最適な種類の電子美容機器を選択することの重要性が増してきている。
【００１０】
肌の診断を行う方法には、顔の画像データを解析する方法（たとえば、特許文献４参照）、光学方式のセンサを用いて２波長間の反射吸光度差から肌の健康度を診断する方式（たとえば、特許文献５参照）などがある。
【００１１】
【特許文献４】
特開２００２−２５２７８３号公報
【００１２】
【特許文献５】
特開平１１−２５３４０８号公報
【００１３】
【発明が解決しようとする課題】
本発明者は、レーザー、イオン導入、ＥＭＳの３つのトリートメント機能を一体に備える電子トリートメント装置を開発中である。このような電子トリートメント装置を利用するにあたり、ユーザは自身の肌の状態に応じて適切なトリートメントの種類やトリートメント実行時間を選択しなければ、期待する効果を授かることができない。
しかしながら、そもそもユーザが自分の肌の状態を十分把握していることは希であり、何らかの測定器を用いて自分の肌の状態の測定を試みない限り、適切なトリートメントの種類やトリートメント実行時間を知ることはできない。
【００１４】
また、肌の状態を診断する従来の機器は、どれも光学装置を利用した大掛かりな構成を要し、ユーザが個人的に使用するには、サイズや価格の点などにおいて不向きであった。また、従来の診断機器では、肌の診断結果が得られても、その診断結果から、何のトリートメントをどのくらいの時間行えばよいかまではユーザに知らされることがなく、それらの選択は各ユーザの知識に依存していた。
【００１５】
本発明はこのような実情に鑑み、小型で安価な肌診断システムを実現することを目的としている。
【００１６】
また、本発明は、ユーザに無駄のない効果的なトリートメントを施すことのできる電子トリートメント装置を提供することを目的とする。
【００１７】
【課題を解決するための手段】
上記の目的を達成するために、本発明の肌診断システムは、肌の状態を検出する静電容量方式の半導体センサと、この半導体センサによって検出された容量値信号に基づいて肌の状態を診断する診断手段と、前記診断の結果を出力する出力手段とを具備するものである。
【００１８】
静電容量方式の半導体センサは、肌の表面の凹凸をコンデンサ素子の単位で高精細に検出することができる。したがって、肌の状態を高精度に診断できる肌診断システムを実現できる。
【００１９】
また、肌の凹部では、半導体センサのコンデンサ素子の容量値は、凹部に浸透している水分・油分の界面とコンデンサ素子の電極との距離によって変化する。言い換えると、肌の凹部でのコンデンサ素子の容量値は肌の水分・油分量を反映した値となる。したがって、本発明の肌診断システムによって肌の水分・油分量を診断することができる。
【００２０】
さらに、本発明の肌診断システムは、肌の凹凸を高精細に検出できることによって、肌のきめの細かさやしわの量を精度良く診断することができる。
【００２１】
そして本発明は、肌の状態を検出する素子として静電容量方式の半導体センサを用いたことで、ユーザの個人使用に適した小型で安価な肌診断システムを提供することが可能となる。
【００２２】
また、上記の目的を達成するために、本発明の電子トリートメント装置は、生体へのイオンの導入による第１のトリートメントを行うイオン導入手段と、生体へのパルス電流の供給による第２のトリートメントを行うパルス供給手段と、肌の状態を検出する静電容量方式の半導体センサと、この半導体センサによって検出された容量値信号に基づいて肌の状態を診断する診断手段と、前記診断の結果に基づいて前記各トリートメントの実行内容を設定するトリートメント設定手段とを具備するものである。
【００２３】
この発明によれば、ユーザの肌の状態を診断し、適切なトリートメントの実行内容を設定することによって、個々のユーザに無駄のない効果的なトリートメントを施すことができる。
【００２４】
また、トリートメントの種類とともにその実行時間を設定することによって、さらに効果的なトリートメントをユーザに提供できる。
【００２５】
【発明の実施の形態】
以下、本発明の実施の形態を図面に基づいて説明する。
図１は、本発明を実施した一形態である肌診断システム１００の構成を示す図である。
【００２６】
同図に示すように、この肌診断システム１００は、ＰＣ（Ｐｅｒｓｏｎａｌ　Ｃｏｍｐｕｔｅｒ）などのコンピュータ１と、このコンピュータ１を肌診断システム１００のための論理装置として機能させるためのプログラムである肌診断アプリケーション２と、上記コンピュータ１にＵＳＢ（Ｕｎｉｖｅｒｓａｌ　Ｓｅｒｉａｌ　Ｂｕｓ）などのインタフェースを通じて接続される肌診断センサ３とで構成される。
【００２７】
コンピュータ１は、ＣＰＵ（Ｃｅｎｔｒａｌ　Ｐｒｏｃｅｓｓｉｎｇ　Ｕｎｉｔ）、メインメモリ、プログラム／データ記憶部、キーボード／マウスなどの入力部、モニターやプリンタなどの出力部を備えて構成され、要するに一般的なコンピュータアーキテクチャを備えて構成されるものである。
【００２８】
肌診断アプリケーション２は、たとえばハードディスクドライブなどのプログラム／データ記憶部に格納され、ユーザによって入力部を用いて実行が指示されることによって、プログラム／データ記憶部からメインメモリにロードされ、ＣＰＵによって読み込まれ、解釈、実行される。
【００２９】
図２にも示すように、肌診断センサ３のセンサ本体４は、主に、ヘッド部５とユーザによって把持される把持部６とで構成される。ヘッド部５の先端には静電容量方式の半導体センサ１０が設けられている。把持部６の表面には、たとえば、スキャン開始の指示ボタン７、スキャン中を表示するためのＬＥＤ（Ｌｉｇｈｔ　Ｅｍｉｔｔｉｎｇ　Ｄｉｏｄｅ）ランプ８などが配設されている。把持部６の後端には配線ケーブル９が引き出され、コンピュータ１のインタフェース部に接続されている。
【００３０】
図３に、静電容量方式の半導体センサ１０の構成の例を示す。この静電容量方式の半導体センサ１０は、シリコン基板１１と、このシリコン基板１１の上に回路パターンを形成する導電体層１２と、この導電体層１２による回路パターン上に配設されたコンデンサ素子層１３とで構成される。コンデンサ素子層１３は、二次元に配列させて設けられた多数のコンデンサ素子で構成される。１３−１，１３−２，１３−３はその一部のコンデンサ素子を示し、Ｃ１，Ｃ２，Ｃ３は個々のコンデンサ素子１３−１，１３−２，１３−３の静電容量を示している。
【００３１】
この半導体センサ１０におけるコンデンサ素子層１３の表面に、たとえば図８に示すように、ユーザの顔や手足などの肌１４を直に接触させると、静電容量効果によって、肌１４の表面の凹凸状態に応じて、対応する個々のコンデンサ素子の静電容量が変化する。すなわち、図３に示すように、肌１４の凹部分１４ａでの表面とコンデンサ素子の電極１６との距離Ｌａは凸部分１４ｂでの距離Ｌｂより長いので、凹部分１４ａでの対応するコンデンサ素子の容量値は凸部分１４ｂでの対応するコンデンサ素子の容量値よりも大になる。上記３つのコンデンサ素子１３−１，１３−２，１３−３の例では、容量値の関係はＣ１＜Ｃ２＜Ｃ３となる。このような原理により、ユーザの肌１４の表面の凹凸状態が、各コンデンサ素子の容量値として検出される。
【００３２】
図４に示すように、肌診断センサ３の静電容量方式半導体センサ１０より出力された各コンデンサ素子の容量値信号は、肌診断センサ３内でのＡ／Ｄ変換器１６によって、たとえば４ビット（１６階調）や８ビット（２５６階調）の濃淡データ系列となって配線ケーブル９を通じてコンピュータ１に転送される。
【００３３】
コンピュータ１で動作している肌診断アプリケーション２は、肌診断センサ３より転送された濃淡データ系列に基づいて、ユーザの肌の状態を視覚的なイメージとして表示したり、その状態を様々な項目について診断し、その結果を出力する機能を有する。
【００３４】
以下に、これらの機能について詳述する。
【００３５】
イメージ処理２１は、肌診断センサ３より転送された濃淡データ系列から表示用のイメージを生成する機能である。生成されたイメージはコンピュータ１のモニター、プリンタを通して出力される。その際、１６階調や２５６階調の濃淡データをそのまま出力してもよいし、階調数を減らして出力してもよい。
【００３６】
水分・油分量診断２２は、肌診断センサ３より転送された濃淡データ系列から肌の水分・油分量を診断する機能である。
【００３７】
図５に示すように、肌１４の凹部１４ａには、実際には水分・油分１５が保持されており、この水分・油分１５の界面１５ａとコンデンサ素子の電極１６との距離Ｌ１−Ｌ５で当該コンデンサ素子の容量値が決まる。したがって、肌診断センサ３より転送された１６階調や２５６階調の濃淡データ系列に基づいて、ユーザの肌の水分・油分量の多さの程度を診断できる。
【００３８】
具体的な診断方法としては、たとえば、肌診断センサ３より転送された濃淡データ系列の合計値あるいは平均値を求め、この合計値あるいは平均値とあらかじめ決められた基準値とを比較し、その大小関係に基づいて、水分・油分量の多さを複数のランクに分けて判定する方法などが挙げられる。この際、判定された水分・油分量の多さのランクを、ユーザが認識しやすい言葉たとえば「しっとり」「普通」「かさかさ」などの言葉に置き換えて出力してもよい。もちろん、１６階調や２５６階調の濃淡データ系列の合計値や平均値を水分・油分量の診断結果としてそのまま出力しても構わない。
【００３９】
きめの診断２３は、肌診断センサ３より転送された濃淡データ系列から肌のきめの細かさを診断する機能である。
【００４０】
図６の（ａ）と（ｂ）は、肌診断センサ３より転送された、二次元座標上の濃淡データ系列１７ａ，１７ｂの例をそれぞれ示している。この例では、（ａ）に示す肌のきめは（ｂ）に示す肌のきめよりも細かいことを示している。肌のきめの細かさは、たとえば、濃淡データ系列のパターンをスライスした断面を波形１８ａ，１８ｂと見なし、この波形１８ａ，１８ｂの周波数解析によってスペクトル系列を求めることによって診断することが可能である。この際、肌のきめの診断結果を、ユーザが認識しやすい言葉たとえば「細かい」「普通」「荒い」などの言葉に置き換えて出力してもよい。
【００４１】
しわの診断２４は、肌診断センサ３より転送された濃淡データ系列から肌のしわの程度（数、深さなど）を診断する機能である。
【００４２】
図７は、しわの部分を肌診断センサ３でスキャンすることによって得られた、二次元座標上の濃淡データ系列１９の例と、この濃淡データ系列１９のパターンをスライスした断面の波形３２を示している。
【００４３】
一般に、しわの部分３１では対応するコンデンサ素子の容量値が、しわ以外の部分（きめの部分を含む）の対応するコンデンサ素子の容量値よりも高くなる。そこで、たとえば、コンデンサ素子の容量値（濃淡データ）について、しわの判定用のしきい値３３を定めておき、肌診断センサ３より転送された濃淡データ系列から上記しきい値３３を越える濃淡データ３４を検出する。そして、このしきい値３３を越える濃淡データ３４の二次元座標上での連続性を評価することによってしわの検出を行う。
【００４４】
また、しわを検出したならば、たとえば、そのしわの部分にあたる濃淡データ３４の合計値をしわの長さで割った値をしわの診断結果として求めるようにしてもよい。この値がしわの幅および深さに相当する、しわの診断結果として得られる。また、検出されたしわの本数をしわの診断結果として得るようにしてもよい。
【００４５】
このしわの診断結果についても、ユーザが認識しやすい言葉に置き換えて出力してもよい。
【００４６】
以上のようにして肌診断アプリケーション２で得られた肌の水分・油分量、きめ、しわの各診断結果は、コンピュータ１のモニター、プリンタなどの出力部を通してユーザに視覚的に出力される。
【００４７】
このように、本実施形態の肌診断システム１００によれば、肌１４の表面の凹凸をコンデンサ素子の単位で高精細に検出できるので、肌の水分・油分量、きめ、しわなどの各診断を高精度に行うことができる。しかも一回のスキャニングで上記各診断を行うことができる。
【００４８】
さらに、この実施形態においては、肌の状態を検出する素子として静電容量方式の半導体センサ１０を用いたことで、光学装置を用いた従来のものに比べて、ユーザの個人使用に適した小型で安価な肌診断システムを提供することができる。
【００４９】
次に、本発明に係る第２の実施形態を説明する。
この実施形態は、レーザー、イオン導入、ＥＭＳの各トリートメント機能を一体に備えた電子トリートメント装置に、上記の静電容量方式半導体センサとこのセンサの出力に基づいて肌の診断を行い、この診断結果に対して適切なトリートメントの実行内容を設定する機能を組み込んでなるものである。
【００５０】
図９は、この電子トリートメント装置２００の構成を示している。
【００５１】
同図に示すように、この電子トリートメント装置２００は、ハンディ型のプローブ４１と、コントローラ本体４２とで構成され、これらは配線ケーブル４３を通じて相互に接続されている。
【００５２】
プローブ４１は、ヘッド部４４と柄部４５とで構成される。ヘッド部４４は柄部４５の一端部に設けられている。
【００５３】
図１０ないし図１２に示すように、ヘッド部４４は、柄部４５の表裏各面からそれぞれ突出した部分４４Ａ，４４Ｂを持ち、これらの個々の突出部４４Ａ，４４Ｂにはレーザー出射部４６と、イオン導入およびＥＭＳ（Ｅｌｅｃｔｒｉｃａｌ　Ｍｕｓｃｌｅ　Ｓｔｉｍｕｌａｔｉｏｎ）のための電極部４７とが個別に設けられている。また、ヘッド部４４の一方の側面には、静電容量方式半導体センサ１０を採用した肌診断センサ３が配置され、さらにヘッド部４４の先端には、たとえば圧電素子などにより構成された圧力センサ４８が配設されている。
【００５４】
レーザー出射部４６、電極部４７、肌診断センサ３および圧力センサ４８は、各々個別に利用できるような位置に配置されていればよい。また、ヘッド部４４の内部には、各種電気・電子回路が実装されたプリント基板（図示せず）などが収容されている。
【００５５】
コントローラ本体４２は、主電源、トリートメント、各センサのオン／オフの切り替え、トリートメントの種類（レーザー、イオン導入、ＥＭＳ）や個々のトリートメント毎のモード・時間・レベル（強さ）の選択などの、各種の選択を行うためのボタン・スイッチ群４９と、各種ステータスの表示や、ユーザによる選択・設定内容の表示、圧力センサ４８の検出結果の表示、肌診断センサ３の診断結果の表示などを行うＬＣＤ（Ｌｉｑｕｉｄ　Ｃｒｙｓｔａｌ　Ｄｉｓｐｌａｙ）などの表示部５０を有している。また、コントローラ本体４２の内部には、バッテリ部と、各種電気・電子回路が実装されたプリント基板（図示せず）などが収容され、このプリント基板はヘッド部４４のプリント基板と配線ケーブル４３を通じて相互に接続されている。
【００５６】
なお、コントローラ本体４２は、プローブ４１を収納する部分を有したデザインとすることも可能である。
【００５７】
図１３は、この電子トリートメント装置２００の構成をブロック化して示した図である。
【００５８】
制御部５１は、この電子トリートメント装置２００の全体的な制御や各種演算を実行するプロセッサ、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）を内蔵する。ＲＯＭには実行される制御や演算のためのプログラムや各種パラメータなどのソフトウェアが格納されており、プロセッサはこのＲＯＭからソフトウェアを読み込み、命令文を解釈し、ＲＡＭのメモリ空間を用いて命令を実行する。
【００５９】
操作入力部５２は、コントローラ本体４２のボタン・スイッチ群４９の操作の状態を監視してその監視結果であるユーザからの入力命令を制御部５１に通知する。
【００６０】
レーザー駆動手段５３は、制御部５１による制御の下、レーザー出射部４６のレーザーダイオード５４を駆動する。ここで、出力レーザーのオン／オフ時間などを制御することが可能である。また、ユーザはコントローラ本体４２のボタン・スイッチ群４９の操作によって出力レーザーのレベルを選択することができる。
【００６１】
図１４に、出力６００ｍＷのレーザーダイオードを用いた場合の、レベルとレーザー出力のオン／オフ時間間隔との対応関係の例を示す。この例において、レベル３が選択された場合、１．０秒の間隔でレーザー出力のオン／オフが繰り返されることになる。
【００６２】
レーザーの熱エネルギーはシミやクスミなどの色が濃い部分に吸収されるので、この熱によって細胞の新陳代謝が促進され、結果的にシミやクスミなどの原因となる角質層などの老廃物を除去できるという効果が奏される。
【００６３】
イオン導入電圧供給手段５５は、制御部５１による制御の下、ヘッド部４４の電極部４７における電極間にイオン導入のための電圧を加える手段である。
【００６４】
イオン導入は、化粧水や美容液に含まれている水溶性の有効成分を微弱な電流でイオン化し、浸透させることで、化粧水や美容液の働きを高めるための方法である。イオン導入の種類には、連続直流型、パルス直流型、パルス脱分極直流型、交流型などがある。連続直流型は、連続的に直流を流して皮膚に分極を起す方法である。パルス直流型は、一定時間直流を流した後止めて放電を起こさせることを繰り返す方法である。パルス脱分極直流型は、皮膚での分極による電気効率の低下をさらに抑えるために、積極的に脱分極させる方法である。
【００６５】
この実施形態では、５０Ｈｚの周波数でプラスとマイナスの電流を交互に流す交流型を採用している
【００６６】
ユーザはコントローラ本体４２のボタン・スイッチ群４９の操作によってイオン導入のレベルすなわち電極間に加える電圧を調整することができる。たとえば、８Ｖから３６Ｖの間で６段階にレベルを調整できるようになっている。
【００６７】
ＥＭＳパルス供給手段５６は、制御部５１による制御の下、ヘッド部４４の電極部４７における各電極にＥＭＳのためのパルスを供給する手段である。
【００６８】
ＥＭＳとは電気的筋肉刺激（Ｅｌｅｃｔｒｉｃａｌ　Ｍｕｓｃｌｅ　Ｓｔｉｍｕｌａｔｉｏｎ）を意味し、電気的刺激によって筋肉を動かし、筋力アップ、シェイプアップ、筋肉の痩せ劣りによるしわの解消、これによる肌のきめの整えなどの効果をもたらし得るトリートメント方法である。
【００６９】
このＥＭＳにおいて、たとえば５Ｈｚ程度の周波数のパルスは身体の深部を刺激して骨格筋を運動させることによって、筋肉の引き締めに効果があるとされ、また、１０Ｈｚ程度の周波数のパルスは主に身体の表層部とその付近を刺激することで、しわの解消やきめを整えることに効果があるとされている。
【００７０】
この実施形態では、ＥＭＳのトリートメントのモードとして「引き締めモード」と「きめ・しわモード」とが用意されている。
「引き締めモード」は周波数が１Ｈｚ〜１０Ｈｚ程度のパルスに周波数が１０Ｈｚ〜５０Ｈｚ程度のパルスを重畳した複合波が用いられている。出力レベルは、たとえば３０Ｖから６０Ｖまでの間で６段階に調整可能である。一方、「きめ・しわモード」は周波数が１Ｈｚ〜１０Ｈｚ程度のパルスに周波数が２０Ｈｚ〜１００Ｈｚ程度のパルスを重畳した複合波が用いられており、出力レベルはたとえば４０Ｖから１００Ｖの間で６段階に調整できるようになっている。
【００７１】
切替手段５７ａは、制御部５１による制御の下、ヘッド部４４の電極部４７における各電極との接続を、イオン導入電圧供給手段５５とＥＭＳパルス供給手段５６との間で切り替える手段である。
【００７２】
肌診断センサ駆動手段５７は、肌診断センサ３の出力をＡ／Ｄ変換して８ビットのデータとして制御部５１に出力する手段である。
【００７３】
肌診断センサ３は、前述した静電容量方式の半導体センサであり、ユーザの肌の状態に関する情報を検出するための手段である。
【００７４】
圧力センサ駆動手段５８は、圧力センサ４８の出力をＡ／Ｄ変換して８ビットのデータとして制御部５１に出力する手段である。
【００７５】
圧力センサ４８は、ユーザの肌に押し当てられたときの反力を、その肌の張りのパラメータとして検出するセンサであり、肌診断センサ３と同様に、ユーザの肌の状態に関する情報を検出するための手段である。
【００７６】
表示制御手段５９は、制御部５１からの表示用のデータを表示部５０にて出力可能な信号に変換する手段である。
【００７７】
次に、制御部５１に組み込まれている肌診断／トリートメント選択プログラムについて説明する。
【００７８】
肌診断／トリートメント選択プログラムは、肌診断センサ３、圧力センサ４８によって検出されたユーザの肌の情報に関する情報に基づいて、水分・油分、きめ、しわ、張りなどの各項目についてユーザの肌の状態を診断し、この診断結果から適切な各トリートメントの実行内容の設定を行う処理手順である。
【００７９】
以下に、この肌診断／トリートメント選択プログラムの処理手順を説明する。水分・油分、きめ、しわの個々の具体的な診断方法については、前記第１の実施形態において説明した通りであるため、ここでの重複する説明は省略する。但し、これらの診断方法は一例にすぎず、これに代えて別の診断方法を採用しても構わない。
【００８０】
肌診断／トリートメント選択プログラムは、個々の項目の診断結果ごとに、その善し悪しの度合を示すランクを付与する。たとえばＮ＝３として、「悪い」「普通」「良い」といった３つのランクにおいて等価する。もちろん、Ｎの値は３以外であってもよい。
【００８１】
診断結果にランクが付与されると、その結果がコントローラ本体４２の表示部５０に表示される。
【００８２】
図１５に、ランク付けされた診断結果の表示の例である。このように表示上は個々の項目の診断結果が７つのランクに細分化されて表示され、これによってユーザは自身の肌の状態をより高い分解能で知ることができる。７つのランクは、具体的には横に並んだ７つの丸いマーク群において色や点滅／点灯などによって強調表示されているマークの位置によって示される。図１５では、白丸が点滅／点灯中のマークを示している。左側のマークほど状態が悪く、右側のマークほど状態が良いことを意味している。もちろん、７つ以上のランクに分けることによって分解能をより高くしてもよい。
【００８３】
このようにして各項目の診断結果を、ユーザはコントローラ本体４２の表示部５０を通して知ることができる。
【００８４】
次に、各項目の診断結果に基づいて適切な各トリートメントの実行内容を設定する場合の処理手順を説明する。
【００８５】
図１６に、診断項目とトリートメント内容との対応関係を示す。このように、水分（潤い）および油分の不足にはイオン導入、きめ・しわの解消にはＥＭＳのきめ・しわモード、張りの改善にはＥＭＳの引き締めモードがそれぞれ有効である。なお、肌診断／トリートメント選択プログラムによる診断項目として実際には存在しないが、シミやクスミの解消にはレーザーとイオン導入がそれぞれ有効である。
【００８６】
図１７ないし図１９に、各トリートメントごとの診断結果（ランク）とトリートメント時間との対応関係をそれぞれ示す。
【００８７】
肌診断／トリートメント選択プログラムは、以上の対応関係に従って、ユーザの肌の診断結果に対して適切なトリートメントの実行内容を設定する。すなわち、最適なトリートメントの種類とそのトリートメント実行時間を設定する。
【００８８】
この後、制御部５１は、ユーザがコントローラ本体４２のボタン・スイッチ４９を操作することによって発生したトリートメント開始の指示に従って、設定された各トリートメントの実行内容を実行する。すなわち、実行するように設定された一つ以上のトリートメントを、それぞれに設定された時間だけ、順番に実行して行く。各種類のトリートメントは、肌診断／トリートメント選択プログラムにおいて固定的に決められている順番で実行される。
【００８９】
また、上記のように、設定された各トリートメントを自動的に実行するのではなく、設定された各トリートメントの実行内容をコントローラ本体４２の表示部５０に表示してユーザにそのトリートメントの実行を薦めることだけを行うようにしてもよい。この場合、ユーザがコントローラ本体４２のボタン・スイッチ４９を操作して推奨のトリートメントの実行および時間を自ら指示することによって、推奨のトリートメントが実際に行われることになる。
【００９０】
トリートメントの間、ユーザはコントローラ本体４２のレベル調整用のボタン・スイッチ４９を操作して好みのレベルを調整することができる。
【００９１】
なお、このレベルについても、トリートメントごとの診断結果（ランク）に基づいて肌診断／トリートメント選択プログラムが最適なレベルを自動選択することにしてもよい。
【００９２】
以上のように、この実施形態の電子トリートメント装置２００によれば、ユーザの肌１４の状態を診断し、適切なトリートメントの実行内容を設定することによって、個々のユーザに無駄のない効果的なトリートメントを施すことが可能になる。
本発明は、上述の実施形態にのみ限定されるものではなく、本発明の要旨を逸脱しない範囲内において種々変更を加え得ることは勿論である。
【００９３】
【発明の効果】
以上、説明したように本発明によれば、肌の水分・油分量、きめ、しわといった肌の状態を精度良く診断することが可能な、小型で安価な肌診断システムを提供できる。
【００９４】
また、本発明の電子トリートメント装置によれば、ユーザの肌の状態を診断し、適切なトリートメントの実行内容を設定することによって、個々のユーザにとって無駄のない効果的なトリートメントを実施できる。
【図面の簡単な説明】
【図１】本発明の実施形態である肌診断システムの全体構成を示す図である。
【図２】図１の肌診断センサの構成を示す斜視図である。
【図３】図２の肌診断センサにおける静電容量方式半導体センサの構成を示す断面図である。
【図４】図１の肌診断システムの構成を示す機能ブロック図である。
【図５】水分・油分量の診断の原理を説明するための半導体センサの断面図である。
【図６】きめの診断の原理を説明するための図である。
【図７】しわの診断の原理を説明するための図である。
【図８】図１の肌診断センサの使用方法を説明するための図である。
【図９】本発明の別の実施形態である電子トリートメント装置のセットの構成を示す図である。
【図１０】図９のプローブの側面図である。
【図１１】図１０のプローブの電極側の側面図である。
【図１２】図１０のプローブのレーザー出射部側の側面図である。
【図１３】この電子トリートメント装置の構成を示す機能ブロック図である。
【図１４】レーザートリートメントのレベルとレーザー出力のオン／オフ時間間隔との対応関係を示す図である。
【図１５】肌の診断結果の表示例を示す図である。
【図１６】診断項目とトリートメント内容との対応関係を示す図である。
【図１７】イオン導入の際の水分・油分量の診断結果とトリートメント時間との対応関係を示す図である。
【図１８】ＥＭＳの際のきめ・しわの診断結果とトリートメント時間との対応関係を示す図である。
【図１９】ＥＭＳの際の張りの診断結果とトリートメント時間との対応関係を示す図である。
【符号の説明】
１‥‥コンピュータ
２‥‥肌診断アプリケーション
３‥‥肌診断センサ
１０‥‥静電容量方式半導体センサ
１１‥‥シリコン基板
１２‥‥導電体層
１３‥‥コンデンサ素子層
２２‥‥水分・油分量の診断
２３‥‥きめの診断
２４‥‥しわの診断
４１‥‥プローブ
４６‥‥レーザー出射部
４７‥‥電極部
５０‥‥表示部
５１‥‥制御部
５２‥‥操作入力部
５３‥‥レーザー駆動手段
５４‥‥レーザーダイオード
５５‥‥イオン導入電圧供給手段
５６‥‥ＥＭＳパルス供給手段
５７‥‥肌診断センサ駆動手段
５８‥‥圧力センサ駆動手段
１００‥‥肌診断システム
２００‥‥電子トリートメント装置
【図１】
2004141259.tif 000003
【図２】
2004141259.tif 000004
【図３】
2004141259.tif 000005
【図４】
2004141259.tif 000006
【図５】
2004141259.tif 000007
【図６】
2004141259.tif 000008
【図７】
2004141259.tif 000009
【図８】
2004141259.tif 000010
【図９】
2004141259.tif 000011
【図１０】
2004141259.tif 000012
【図１１】
2004141259.tif 000013
【図１２】
2004141259.tif 000014
【図１３】
2004141259.tif 000015
【図１４】
2004141259.tif 000016
【図１５】
2004141259.tif 000017
【図１６】
2004141259.tif 000018
【図１７】
2004141259.tif 000019
【図１８】
2004141259.tif 000020
【図１９】
2004141259.tif 000021